(57)【特許請求の範囲】
【請求項１】
通水部材と、電気回路部材とを有する電気機器において、
該通水部材の少なくとも一部が該電気回路部材の上方に配置されており、
該通水部材のうち該電気回路部材の上方部分の少なくとも一部が、該電気回路部材の発火時の熱により溶融する熱溶融性材料にて構成されていることを特徴とする電気機器。
【請求項２】
請求項１において、前記通水部材の前記電気回路部材上方部分よりも上流側に、該電気機器の非使用時には閉弁状態とされる弁が設けられており、該通水部材の下流側が大気に開放していることを特徴とする電気機器。
【請求項３】
請求項１又は２において、前記電気回路部材を囲むケースが設けられ、前記通水部材は該ケース内を引き通されていることを特徴とする電気機器。
【請求項４】
請求項３において、該ケース内の水を前記電気機器外に導く排水管が設けられていることを特徴とする電気機器。
【請求項５】
請求項１ないし４のいずれか１項において、漏電遮断手段を備えたことを特徴とする電気機器。
【請求項６】
請求項１ないし５のいずれか１項において、前記電気機器は温水洗浄便座又は電気温水器であることを特徴とする電気機器。
【発明の詳細な説明】
【技術分野】
【０００１】
本発明は、温水洗浄便座や電気温水器などの電気機器に係り、特に消火機能を備えた電気機器に関する。
【背景技術】
【０００２】
従来、一般的な回路基板では、負荷あるいは回路の故障時に発火の可能性のある部品がある場合、その部品にガラスチューブのような防火部材を被せたり、部品の回りを不燃物で覆うようにしたり、回路基板が配置される外殻ケースを不燃物で構成したりしていた。
【０００３】
実公平７−３３０５６には、本体内部に電気部品、配線基板などが組み込まれた電気部品箱を収納した空気調和機において、該本体内部に融点の比較的低い樹脂を材質とし消火剤が封入された消火剤容器を設け、発火時の熱によって該樹脂製容器を融解させ、消火剤を発火部位にかけて消火することが記載されている。
【特許文献１】実公平７−３３０５６
【発明の開示】
【発明が解決しようとする課題】
【０００４】
上記実公平７−３３０５６では、消火剤とそのための容器が必要であり、コスト高である。
【０００５】
本発明は、安価な構成にて消火を行うことが可能な電気機器を提供することを目的とする。
【課題を解決するための手段】
【０００６】
請求項１の電気機器は、通水部材と、電気回路部材とを有する電気機器において、該通水部材の少なくとも一部が該電気回路部材の上方に配置されており、該通水部材のうち該電気回路部材の上方部分の少なくとも一部が、該電気回路部材の発火時の熱により溶融する熱溶融性材料にて構成されていることを特徴とするものである。
【０００７】
請求項２の電気機器は、請求項１において、前記通水部材の前記電気回路部材上方部分よりも上流側に、該電気機器の非使用時には閉弁状態とされる弁が設けられており、該通水部材の下流側が大気に開放していることを特徴とするものである。
【０００８】
請求項３の電気機器は、請求項１又は２において、前記電気回路部材を囲むケースが設けられ、前記通水部材は該ケース内を引き通されていることを特徴とするものである。
【０００９】
請求項４の電気機器は、請求項３において、該ケース内の水を前記電気機器外に導く排水管が設けられていることを特徴とするものである。
【００１０】
請求項５の電気機器は、請求項１ないし４のいずれか１項において、漏電遮断手段を備えたことを特徴とするものである。
【００１１】
請求項６の電気機器は、請求項１ないし５のいずれか１項において、前記電気機器は温水洗浄便座又は電気温水器であることを特徴とするものである。
【発明の効果】
【００１２】
本発明の電気機器によると、電気回路部材の発火により通水部材の熱溶融性材料が溶融し、通水部材内の水が電気回路部材に注ぎかけられ、消火が行われる。
【００１３】
本発明では、高価な化学消火剤とそれを収容するための容器が不要である。
【００１４】
請求項２の電気機器によると、電気機器の非使用時には弁が閉弁状態となっているので、電気機器の非使用時に電気回路部材が発火した場合、弁よりも下流側の通水部材内の水だけが流出することになり、水が流れ放しにならない。
【００１５】
請求項３によると、電気回路部材にかけられた水が周囲に広がることが防止される。
【００１６】
請求項４によると、ケース内の水が電気機器外に排出されるので、水がケース周囲に広がることが防止される。
【００１７】
請求項５によると、電気回路部材に水がかかっても漏電が防止される。
【００１８】
本発明は、請求項６の通り、温水洗浄便座、電気温水器などに適用するのに好適である。
【発明を実施するための最良の形態】
【００１９】
以下、図面を参照して実施の形態について説明する。
【００２０】
第１図は実施の形態に係る温水洗浄便座の透視斜視図、第２図は回路基板用ケースの斜視図、第３図は第２図のIII−III線に沿う断面図である。
【００２１】
第１図の通り、温水洗浄便座１は、洋風便器の後部上面に設置される便座ボックス２と、該便座ボックス２に対し上下方向回動可能に取り付けられた便座３及び便蓋４と、該便座ボックス２の前部下縁から前方へ突出可能なノズル５等を備えている。このノズル５は、その先端から上方へ温水を噴出して人体臀部を洗浄するためのものである。このノズル５はノズルシリンダ６に保持されている。
【００２２】
トイレルームの壁面に設けられた止水栓１０と便座ボックス２のバルブユニット１２とが配管１１を介して接続されている。このバルブユニット１２には、ストレーナ１３と、メインバルブ１４と、圧力調整弁１５とが設けられている。
【００２３】
メインバルブ１４の流出側と便座ボックス２内の温水タンク１７とが給水ホース１６によって接続されている。温水タンク１７の湯流出口に設けられたバキュームブレーカ１８が給湯ホース１９を介して水量調節機能付き切替弁２０に接続されている。この切替弁２０がノズル５に給湯ホース２１を介して接続されている。
【００２４】
バルブユニット１２の圧力調整弁１５からの放出水を便鉢（図示略）に流出させるように、水逃がしホース２２が設けられている。
【００２５】
メインバルブ１４や切替弁２０等を制御するための回路基板３０が便座ボックス２内のケース３１内に設置されている。第３図の通り、この回路基板３０には、ＩＣチップ、コンデンサ、コイル、バリスタ等の回路部品３２が塔載されている。
【００２６】
上記給水ホース１６は、難燃剤含有ポリエチレンなどの難燃性を有した熱可塑性合成樹脂製とされている。この給水ホース１６の一部は、ケース３１内の回路基板３０の上方を引き通されている。
【００２７】
ケース３１の下位部分には、ケース３１内からの水を便器の便鉢へ導くための排水ホース３３が接続されている。
【００２８】
この便座ボックス２に連なる給電用ハーネス４０の先端にプラグユニット４１が設けられ、トイレルーム壁面のコンセント４２に差し込まれている。このプラグユニット４１には漏電ブレーカ（図示略）が設けられている。
【００２９】
このように構成された温水洗浄便座１においては、図示しないリモコンの洗浄スイッチを操作すると、メインバルブ１４が開弁し、温水タンク１７から温水がノズル５に供給され、ノズル５が前進してその先端から温水が噴出し、人体洗浄が行われる。リモコンのストップスイッチを操作すると、メインバルブ１４が閉弁し、ノズル５からの温水噴出が停止すると共に、ノズル５が後退する。
【００３０】
このストップスイッチによって洗浄作動を停止させた電気機器１の非使用状態において、一部の回路部品３２が発火した場合（例えば、バリスタに過電圧がかかりスパークした場合）、その熱によって、当該回路部品３２の上方の給水ホース１６が熱溶融して穴があき、給水ホース１６内に溜っていた水が穴から漏れだし、回路部品３２にかけられ、消火される。これにより、回路基板３０の類焼が防止される。なお、給水ホース１６の下流側は、温水タンク１７を介してバキュームブレーカ１８に通じており、このバキュームブレーカ１８が大気に開放している。そのため、給水ホース１６に熱溶融によって穴があくと、この穴から水がスムーズに流出する。
【００３１】
この回路部品３２にかけられた水は、その後、排水ホース３３を介して便鉢へ流出する。
【００３２】
この場合、メインバルブ１４は閉弁しているので、給水ホース１６から流出する水は給水ホース１６内に溜っていた水だけであり、水が流れ放しとなることはない。
【００３３】
この実施の形態では、コンセントユニット４１に漏電ブレーカが設けられているので、回路部品３２に水がかけられて漏電が生じると、漏電ブレーカが起動し、便座ボックス２への給電が停止する。なお、漏電ブレーカは便座ボックス内に設けられてもよい。
【００３４】
上記実施の形態は温水洗浄便座に関するものであるが、電気温水器などにも適用できる。
【００３５】
上記実施の形態では、給水ホース１６内に溜った水を消火に用いるようにしているが、温水タンク１７内の温水を消火に用いるようにしてもよい。
【図面の簡単な説明】
【００３６】
【図１】実施の形態に係る温水洗浄便座の透視斜視図である。
【図２】回路基板ケースの斜視図である。
【図３】第２図のIII−III線に沿う断面図である。
【符号の説明】
【００３７】
１  温水洗浄便座
２  便座ボックス
１４  メインバルブ
１６  給水ホース
１７  温水タンク
３０  回路基板
３１  ケース
３２  回路部品
３３  排水ホース
【図１】
0004872820.tif 000002
【図２】
0004872820.tif 000003
【図３】
0004872820.tif 000004